(57)【特許請求の範囲】
【請求項１】
Ｎ個のコマが同一の画面に合成された静止画と、この静止画に重なる状態で所定方向に移動させられるマスキングカバーとからなり、
前記マスキングカバーで隠す前記コマと、表示する前記コマとを、前記移動によって順々に切替え可能な表示装置において、
下の（１）〜（４）を満たすことを特徴とする表示装置。
（１）前記画面は、前記所定方向に並ぶ画面要素に分けられている。以下、前記静止画上で前記所定方向に並ぶ画面要素のそれぞれは、前記所定方向に順次１〜Ｎの番号を割り当てて区別する。
（２）Ｎ個のコマのそれぞれは、Ｎ色の色成分に色分解されている。以下、これらＮ色の色成分は、順次１〜Ｎの番号を割り当てて区別する。各コマは、前記所定方向に前記画面要素を代わるごとに次順番の前記色成分であって、しかも同画面要素内に存在する自己以外のコマ部分とも異なる前記色成分で描かれている。
（３）前記マスキングカバーは、前記移動によって前記画面要素１番〜Ｎ番と順次に重ねられるように前記所定方向に並ぶフィルタ要素を有する。以下、前記フィルタ要素の所定方向の並び順は順次１〜Ｎの番号を割り当てて区別する。また、１〜Ｎの整数を代入する変数は、ｎとする。
（４）前記フィルタ要素ｎ番は、前記色成分ｎ番で描かれたコマ部分を透視でき、かつ当該ｎ番以外の前記色成分で描かれたコマ部分を隠せる色に着色された半透明部になっている。
【請求項２】
前記静止画がＮ≦３個のコマからなる請求項１に記載の表示装置。
【請求項３】
前記画面及び前記マスキングカバーは、それぞれ前記画面要素及び前記フィルタ要素の中心を通る２以上の直線方向に並ぶような画面要素及びフィルタ要素に分けられている請求項１又は２に記載の表示装置。
【請求項４】
前記マスキングカバーは、前記所定方向に隣り合う前記フィルタ要素間に介在し、かつこれら両フィルタ要素の色を合成した中間色の中間要素を有する請求項１から３のいずれか１項に記載の表示装置。
【請求項５】
Ｎ個のコマが同一の画面に合成された静止画と、この静止画に重なる状態で所定方向に移動させられるマスキングカバーとからなり、
前記マスキングカバーで隠す前記コマと、表示する前記コマとを、前記移動によって順々に切替え可能な表示装置の製造方法において、
下の（１）〜（４）を実施することを特徴とする表示装置の製造方法。
（１）前記画面を、前記所定方向に並ぶ画面要素に分ける。以下、前記静止画上で前記所定方向に並ぶ画面要素のそれぞれは、前記所定方向に順次１〜Ｎの番号を割り当てて区別する。
（２）Ｎ個のコマのそれぞれを、Ｎ色の色成分に色分解する。以下、これらＮ色の色成分は、順次１〜Ｎの番号を割り当てて区別する。各コマを、前記所定方向に前記画面要素を代わるごとに次順番の前記色成分であって、しかも同画面要素内に存在する自己以外のコマ部分とも異なる前記色成分で描く。
（３）前記マスキングカバーを、前記移動によって前記画面要素１番〜Ｎ番と順次に重ねられるように前記所定方向に並ぶフィルタ要素に分ける。以下、前記フィルタ要素の所定方向の並び順は順次１〜Ｎの番号を割り当てて区別する。また、１〜Ｎの整数を代入する変数は、ｎとする。
（４）前記フィルタ要素ｎ番を、前記色成分ｎ番で描かれたコマ部分を透視でき、かつ当該ｎ番以外の前記色成分で描かれたコマ部分を隠せる色に着色された半透明部にする。
【発明の詳細な説明】
【技術分野】
【０００１】
この発明は、Ｎ個のコマが同一の画面に合成された静止画と、この静止画に重なる状態で所定方向に移動させられるマスキングカバーとからなり、マスキングカバーで隠すコマと、表示するコマとを、前記移動によって順々に切替え可能な表示装置に関する。
【背景技術】
【０００２】
従来、この種の表示装置におけるマスキングカバーは、黒塗りのマスク部と、無色透明部とを所定方向に一定間隔で並べたものとなっている。画面は、マスキングカバーの前記の一定間隔と共通パターンで画面要素に分けられている。基本的には、１つの画面要素に１コマの一部分が描かれ、その隣の画面要素に次の１コマの一部分が描かれている。マスキングカバーの無色透明部は、同じコマが描かれた全ての画面要素と同時に重なり、このとき、マスク部は、他のコマが描かれた全ての画面要素と重なるようになっている（特許文献１）。
【先行技術文献】
【特許文献】
【０００３】
【特許文献１】特開２０１１−１６４４１０号公報
【発明の概要】
【発明が解決しようとする課題】
【０００４】
しかしながら、従来例では、１コマを、マスキングカバーの無色透明部に重なる飛び飛びの画面要素にだけ描き、マスク部で隠せる他の画面要素のところに他のコマを描く合成の仕方で静止画を作ることになる。このため、この表示装置で実現できるコマの解像度は、マスキングカバーの無色透明部の所定方向幅及びピッチに制限される。したがって、マスキングカバーが所定方向に移動させられる間、表示するコマの輪郭全体を視聴者に見せることができない。
【０００５】
そこで、この発明が解決しようとする課題は、Ｎ個のコマが同一の画面に合成された静止画と、この静止画に重なる状態で所定方向に移動させられるマスキングカバーとからなり、前記マスキングカバーで隠す前記コマと、表示する前記コマとを、前記移動によって順々に切替え可能な表示装置において、前記表示するコマの解像度を向上させることにある。
【課題を解決するための手段】
【０００６】
上記の課題を解決するため、この発明は、当該課題に係る表示装置において、下の（１）〜（４）を満たすことを特徴とする。
（１）前記画面は、前記所定方向に並ぶ画面要素に分けられている。以下、前記静止画上で前記所定方向に並ぶ画面要素のそれぞれは、前記所定方向に順次１〜Ｎの番号を割り当てて区別する。
（２）Ｎ個のコマのそれぞれは、Ｎ色の色成分に色分解されている。以下、これらＮ色の色成分は、順次１〜Ｎの番号を割り当てて区別する。各コマは、前記所定方向に前記画面要素を代わるごとに次順番の前記色成分であって、しかも同画面要素内に存在する自己以外のコマ部分とも異なる前記色成分で描かれている。
（３）前記マスキングカバーは、前記移動によって前記画面要素１番〜Ｎ番と順次に重ねられるように前記所定方向に並ぶフィルタ要素を有する。以下、前記フィルタ要素の所定方向の並び順は順次１〜Ｎの番号を割り当てて区別する。また、１〜Ｎの整数を代入する変数は、ｎとする。
（４）前記フィルタ要素ｎ番は、前記色成分ｎ番で描かれたコマ部分を透視でき、かつ当該ｎ番以外の前記色成分で描かれたコマ部分を隠せる色に着色された半透明部になっている。
【０００７】
この発明によれば、各コマを色分解しているので、得られた色成分を画面要素単位で使い分けて、マスクキングカバーで隠すべきコマを描く画面要素にも、表示したいコマ部分を描き、静止画に合成することができる。ここで、あるフィルタ要素がある画面要素に重なるとき、特定の色成分で描かれたコマ部分を透視でき、他の色成分で描かれた他のコマの部分を透視できないように、各コマ間かつ所定方向に並ぶ画面要素間で色成分の使い分けをしているので、マスキングカバーで隠すコマと、表示するコマとを前記移動によって順々に切替え可能でありながら、隠すコマが描かれた画面要素と重なるフィルタ要素上でも、表示するコマ部分を透視することができ、これにより、表示するコマの解像度を向上させることができる。
【０００８】
具体的には、前記静止画がＮ≦３個のコマからなることが好ましい。この場合、２コマ又は３コマ間で色成分を使い分けることができるので、静止画やマスクキングカバーを作り出す際、一般的なＲＧＢ（光の三原色）又はＣＭＹ（色の三原色）に基いた色空間の規格、例えば国際電気標準会議（ＩＥＣ）のｓＲＧＢ、国際照明委員会（ＣＩＥ）のＲＧＢ表色系、日本工業規格（ＪＩＳ）Ｚ８７０１のＸＹＺ表色系等の中から任意に色空間を選び、前記色分解で得る前記色成分、前記フィルタ要素に着色する色を容易に設定することができる。
【０００９】
また、前記画面及び前記マスキングカバーは、それぞれ前記画面要素及び前記フィルタ要素の中心を通る２以上の直線方向に並ぶような画面要素及びフィルタ要素に分けられていることも好ましい。動画を表示できるマスキングカバーの所定方向を２方向以上に定めることができる。
【００１０】
また、前記マスキングカバーは、前記所定方向に隣り合う前記フィルタ要素間に介在し、かつこれら両フィルタ要素の色を合成した中間色の中間要素を有するものにしてもよい。マスキングカバーが所定方向に移動させられる間、中間要素が重なるところでは、隠すコマ部分と、表示するコマ部分の両方を透視できるので、滑らかな動画を得ることができる。
【００１１】
この発明に係る表示装置は、Ｎ個のコマが同一の画面に合成された静止画と、この静止画に重なる状態で所定方向に移動させられるマスキングカバーとからなり、
前記マスキングカバーで隠す前記コマと、表示する前記コマとを、前記移動によって順々に切替え可能な表示装置の製造方法において、下の（１）〜（４）を実施することで製造することができる。（１）〜（４）の実施順は問わない。
（１）前記画面を、前記所定方向に並ぶ画面要素に分ける。以下、前記静止画上で前記所定方向に並ぶ画面要素のそれぞれは、前記所定方向に順次１〜Ｎの番号を割り当てて区別する。
（２）Ｎ個のコマのそれぞれを、Ｎ色の色成分に色分解する。以下、これらＮ色の色成分は、順次１〜Ｎの番号を割り当てて区別する。
各コマを、前記所定方向に前記画面要素を代わるごとに次順番の前記色成分であって、しかも同画面要素内に存在する自己以外のコマ部分とも異なる前記色成分で描く。
（３）前記マスキングカバーを、前記移動によって前記画面要素１番〜Ｎ番と順次に重ねられるように前記所定方向に並ぶフィルタ要素に分ける。以下、前記フィルタ要素の所定方向の並び順は順次１〜Ｎの番号を割り当てて区別する。また、１〜Ｎの整数を代入する変数は、ｎとする。
（４）前記フィルタ要素ｎ番を、前記色成分ｎ番で描かれたコマ部分を透視でき、かつ当該ｎ番以外の前記色成分で描かれたコマ部分を隠せる色に着色された半透明部にする。
【発明の効果】
【００１２】
上述のように、この発明は、動画を成すＮ個のコマが同一の画面に合成された静止画と、この静止画に重なる状態で所定方向に移動させられるマスキングカバーとからなり、前記マスキングカバーで隠すコマと、表示するコマとを、前記移動によって順々に切替え可能な表示装置において、マスキングカバーが所定方向に移動させられる間、隠すコマが描かれた画面要素と重なるフィルタ要素上でも、表示するコマ部分を透視することが可能なので、表示するコマの解像度を向上させることができる。
【図面の簡単な説明】
【００１３】
【図１】（ａ）は第一実施形態に係る表示装置の静止画を示す図、（ｂ）は第一実施形態に係る表示装置のマスキングカバーを示す図
【図２】（ａ）は第一実施形態のコマ１を示す図、（ｂ）第一実施形態のコマ２を示す図、（ｃ）は第一実施形態のコマ３を示す図
【図３】（ａ）は第一実施形態のコマ１の色成分１を示す図、（ｂ）は第一実施形態のコマ１の色成分２を示す図、（ｃ）は第一実施形態のコマ１の色成分３を示す図
【図４】（ａ）は第一実施形態のコマ２の色成分１を示す図、（ｂ）は第一実施形態のコマ２の色成分２を示す図、（ｃ）は第一実施形態のコマ２の色成分３を示す図
【図５】（ａ）は第一実施形態のコマ３の色成分１を示す図、（ｂ）は第一実施形態のコマ３の色成分２を示す図、（ｃ）は第一実施形態のコマ３の色成分３を示す図
【図６】（ａ）は図３（ａ）のコマ１にマスキングカバーを重ねたときの表示を示す図、（ｂ）は図３（ｂ）のコマ１にマスキングカバーを重ねたときの表示を示す図、（ｃ）は図３（ｃ）のコマ１にマスキングカバーを重ねたときの表示を示す図
【図７】（ａ）は図４（ａ）のコマ２にマスキングカバーを重ねたときの表示を示す図、（ｂ）は図４（ｂ）のコマ２にマスキングカバーを重ねたときの表示を示す図、（ｃ）は図４（ｃ）のコマ２にマスキングカバーを重ねたときの表示を示す図
【図８】（ａ）は図５（ａ）のコマ３にマスキングカバーを重ねたときの表示を示す図、（ｂ）は図５（ｂ）のコマ３にマスキングカバーを重ねたときの表示を示す図、（ｃ）は図５（ｃ）のコマ３にマスキングカバーを重ねたときの表示を示す図
【図９】第一実施形態のコマ１を所定の色分けで描いた図
【図１０】第一実施形態のコマ２を所定の色分けで描いた図
【図１１】第一実施形態のコマ３を所定の色分けで描いた図
【図１２】第一実施形態の表示装置でマスキングカバーをコマ１の表示位置で静止画に重ねたときのマスキングカバーの効果を示す図
【図１３】第一実施形態の表示装置でマスキングカバーをコマ２の表示位置で静止画に重ねたときのマスキングカバーの効果を示す図
【図１４】第一実施形態の表示装置でマスキングカバーをコマ３の表示位置で静止画に重ねたときのマスキングカバーの効果を示す図
【図１５】（ａ）は第二実施形態のマスキングカバーを示す図、（ｂ）は第二実施形態の静止画を示す図
【図１６】第二実施形態のコマ１を示す図
【図１７】第二実施形態のコマ２を示す図
【図１８】第二実施形態のコマ３を示す図
【図１９】第二実施形態の画面要素の分割パターンを示す図
【図２０】第二実施形態のコマ１を所定の色分けで描いた図
【図２１】第二実施形態のコマ２を所定の色分けで描いた図
【図２２】第二実施形態のコマ３を所定の色分けで描いた図
【図２３】第二実施形態の表示装置でコマ１を表示した図
【図２４】第二実施形態の表示装置でコマ２を表示した図
【図２５】第二実施形態の表示装置でコマ３を表示した図
【図２６】第三実施形態の画面要素の分割パターンを示す図
【図２７】第三実施形態のマスキングカバーを示す図
【図２８】第三実施形態のコマ１を所定の色分けで描いた図
【図２９】第三実施形態のコマ２を所定の色分けで描いた図
【図３０】第三実施形態のコマ３を所定の色分けで描いた図
【図３１】第三実施形態の静止画を示す図
【図３２】第三実施形態の表示装置でコマ１を表示した図
【図３３】第三実施形態の表示装置でコマ２を表示した図
【図３４】第三実施形態の表示装置でコマ３を表示した図
【図３５】第三実施形態のマスキングカバーの変更例を示す図
【発明を実施するための形態】
【００１４】
この発明の第一実施形態を添付図面に基いて説明する。この実施形態に係る表示装置は、図１（ａ）に示す静止画１０と、図１（ｂ）に示すマスキングカバー２０とからなる。
【００１５】
図１（ａ）に示す静止画１０は、図２（ａ）〜（ｃ）に示すＮ個のコマを色分解し、その色成分を使い分けて図１（ａ）に示すように同一の画面３０上に合成されたものとなっている。以下、コマ数Ｎ＝３なので、図２（ａ）〜（ｃ）に示すコマは、順次に１〜Ｎの番号を割り当てて、コマ１，コマ２，コマ３と区別する。コマ１〜３は、表示装置で表示する映像を構成する画像である。
【００１６】
図１（ｂ）に示すマスキングカバー２０は、図１（ａ）に示す静止画１０に重なる状態で所定方向に移動させられる。所定方向は、図中左から右へ向う直線方向の一方向のみとなっている。
【００１７】
マスキングカバー２０は、合成樹脂製の透過フィルムを素材としている。表示装置の使用者は、手でマスキングカバー２０を所定方向へ移動させつつ、マスキングカバー２０からの表示を視認することができる。この表示装置は、マスキングカバー２０で隠すコマ１〜３の二つと、表示するコマ１〜３の残り一つとを、前記移動によってコマ１〜３の表示順に従って順々に切替え可能なものとなっている。
【００１８】
具体的に述べると、図１（ａ）に示した画面３０の枠は、仮想的なものであり、印刷面、モニタ画面等の任意の画面上でコマ１〜３を合成する際の位置決めの基準になる。画面３０の枠は、図１（ｂ）に示したマスキングカバー２０の面形状と同じにしている。
【００１９】
画面３０は、所定方向に並ぶ画面要素に分けられている。以下、静止画１０上で所定方向に並ぶ画面要素を考えるとき、これら画面要素には、所定方向に順次１〜Ｎの番号を循環的に割り当ててＡ１，Ａ２，Ａ３と区別し、特に区別を要しないときは画面要素Ａと呼ぶ。画面要素Ａよる分け方は、概念的なもの、例えば、印刷や画面出力制御におけるレイアウトや、実体的なもの、例えば、複数の画面要素Ａを繋いで画面３０を製造する繋ぎ目のいずれでもよい。全ての画面要素Ａは、同じ面形状をもっている。この面形状は、所定方向に短い矩形状になっている。同図中には、画面要素Ａを所定方向幅の範囲で示した。図示例の画面３０は、コマ数Ｎ＝３の１０倍の数の画面要素Ａに分けられている。どの程度の細かさで画面３０を分割するかは、コマ１〜３の輪郭の解像度を考慮して適宜に決定すればよい。例えば、画面要素Ａは、所定方向に１ｍｍ〜２ｍｍの幅にすることができる。
【００２０】
図１（ｂ）に示すマスキングカバー２０は、所定方向に並ぶフィルタ要素に分けられている。所定方向に並ぶフィルタ要素を考えるとき、これらフィルタ要素には、所定方向に順次１〜Ｎの番号を循環的に割り当ててＢ１，Ｂ２，Ｂ３と区別し、特に区別を要しないときはフィルタ要素Ｂと呼ぶ。フィルタ要素Ｂによる分け方は、概念的なもの、例えば、透過フィルムに対する印刷や塗装制御におけるレイアウトや、実体的なもの、例えば、複数のフィルタ要素Ｂを繋いでマスキングカバー２０を製造する繋ぎ目のいずれでもよい。全てのフィルタ要素Ｂは、同じ面形状をもっている。この面形状は、所定方向に短い矩形状になっている。
【００２１】
図１（ａ）、（ｂ）に示すフィルタ要素Ｂと画面要素Ａとは、同じ所定方向幅をもつ。フィルタ要素Ｂの上下方向長さは、静止画１０の上下方向の全長よりも十分に大きくされている。したがって、フィルタ要素Ｂと画面要素Ａは、少なくとも静止画１０上で共通の分割パターンをもつことになる。このため、フィルタ要素Ｂが、前記移動によって所定方向に並ぶ各画面要素Ａと順次に重ねられる。
【００２２】
フィルタ要素Ｂ１は、Ｒ（レッド）に着色された半透明部になっている。フィルタ要素Ｂ２は、Ｇ（グリーン）に着色された半透明部になっている。フィルタ要素Ｂ３は、Ｂ（ブルー）に着色された半透明部になっている。これら着色は、透明な合成樹脂製の透過フィルムに対する印刷や塗装といった適宜の手段で実施することができる。
【００２３】
図２（ａ）〜（ｃ）に示すコマ１〜３のそれぞれは、略Ｋ（ブラック）の色で描かれている。コマ１〜３のそれぞれがＮ色に色分解された画像を、図３〜図５に示す。色分解とは、カラー画像を色成分に分解することである。コマ１〜３のそれぞれは、画面３０を印刷面として静止画をカラー印刷するため、色成分Ｃ（シアン），Ｍ（マゼンタ），Ｙ（イエロー）に色分解されている。これら色成分には、順次１〜Ｎの番号を割り当てて色成分Ｃ１，色成分Ｍ２，色成分Ｙ３と区別する。なお、図中で特に色分けを示すときは、「Ｃ１」、「Ｍ２」、「Ｙ３」の符号を用いる。色成分に対する順次の番号割当ては、区別の便宜上のものなので、重複しないよう割り当てればよく、１〜Ｎ番の中からどの色成分にどの番号を付すかは自由であり、色相環を一周する方向順に限定されない。
【００２４】
ある色成分で印刷されたコマ部分は、色相環で反対側の色に着色された半透明部を重ねると、マスキングすることができる。２０等分の一般的な色相環で考えると、Ｃ（シアン）で印刷されたコマ部分は、Ｇ（グリーン）やＢ（ブルー）に着色された半透明部が重なることによって、マスキングされる。また、Ｍ（マゼンタ）で印刷されたコマ部分は、Ｒ（レッド）やＢ（ブルー）に着色された半透明部が重なることによって、マスキングされる。また、Ｙ（イエロー）で印刷されたコマ部分は、Ｒ（レッド）やＢ（ブルー）に着色された半透明部が重なることによって、マスキングされる。一方、マスキングされない組合せで重なる場合、すなわち、Ｃ（シアン）で印刷されたコマ部分とＲ（レッド）に着色された半透明部、Ｍ（マゼンタ）で印刷されたコマ部分とＧ（グリーン）に着色された半透明部、Ｙ（イエロー）で印刷されたコマ部分とＢ（ブルー）に着色された半透明部が重なると、互いの色が乗算され、当該半透明部では、当該コマ部分がＫ（ブラック）に近い色で表示される。
【００２５】
したがって、図６（ａ）に示すように、色成分Ｃ１で描いたコマ１にマスキングカバー２０が画面３０に対して直角の方向に重なる状態を考えると、そのコマ１と、Ｒ（レッド）に着色された半透明部からなるフィルタ要素Ｂ１と重なる部分では、Ｋ（ブラック）に近い色としてコマ１部分の輪郭が最も明瞭に透視される。そのコマ１と、Ｂ（ブルー）に着色された半透明部からなるフィルタ要素Ｂ３とが重なる部分では、コマ１部分の輪郭が実質的に透視されない。そのコマ１と、Ｇ（グリーン）に着色された半透明部からなるフィルタ要素Ｂ２とが重なる部分では、コマ１部分の輪郭が若干透視される。また、図６（ｂ）に示すように、色成分Ｍ２で描いたコマ１にマスキングカバー２０が画面３０に対して直角の方向に重なる状態を考えると、そのコマ１と、Ｇ（グリーン）に着色された半透明部からなるフィルタ要素Ｂ２とが重なる部分では、Ｋ（ブラック）に近い色としてコマ１部分の輪郭が最も明瞭に透視される。そのコマ１と、Ｒ（レッド）に着色された半透明部からなるフィルタ要素Ｂ１とが重なる部分では、コマ１部分の輪郭が実質的に透視されない。そのコマ１と、Ｂ（ブルー）に着色された半透明部からなるフィルタ要素Ｂ３とが重なる部分では、コマ１部分の輪郭が若干透視される。また、図６（ｃ）に示すように、色成分Ｙ３で描いたコマ１にマスキングカバー２０が画面３０に対して直角の方向に重なる状態を考えると、そのコマ１と、Ｂ（ブルー）に着色された半透明部からなるフィルタ要素Ｂ３とが重なる部分では、Ｋ（ブラック）に近い色としてコマ１部分の輪郭が最も明瞭に透視される。そのコマ１と、Ｒ（レッド）に着色された半透明部からなるフィルタ要素Ｂ１とが重なる部分では、コマ１部分の輪郭が実質的に透視されない。そのコマ１と、Ｇ（グリーン）に着色された半透明部からなるフィルタ要素Ｂ２とが重なる部分では、コマ１部分の輪郭が若干透視される。コマ２、３の場合も、図７（ａ）〜図８（ｃ）に示すように、フィルタ要素Ｂ１〜Ｂ３に対して図６（ａ）〜（ｃ）のコマ１の場合と同様の関係になる。これらのことから、画面３０におけるコマ１〜３の表示位置と、コマ１を表示するときにマスキングカバー２０を重ねるべき位置とを定め、色成分１〜３を用いて、フィルタ要素Ｂ１〜Ｂ３からコマ１全体がＫ（ブラック）に近い色に透視される関係となるように画面要素Ａ単位で色分けしたコマ１を描けば（図９参照）、マスキングカバー２０が所定方向に移動させられることにより、コマ１全体の輪郭が明瞭に表示される時期を得ることができる。また、このマスキングカバー２０の位置から所定方向に画面要素Ａの１個分だけずらした位置を、コマ２を表示するときにマスキングカバー２０を重ねるべき位置と定め、色成分１〜３を用いて、フィルタ要素Ｂ１〜Ｂ３からコマ２全体が黒に近い色に透視される関係となるように画面要素Ａ単位で色分けしたコマ２を描けば（図１０参照）、マスキングカバー２０が所定方向に移動させられることにより、コマ２全体の輪郭が明瞭に表示される時期を得ることができる。また、このマスキングカバー２０の位置から所定方向に画面要素Ａ１個分だけずらした位置を、コマ３を表示するときにマスキングカバー２０を重ねるべき位置と定め、色成分１〜３を用いて、フィルタ要素Ｂ１〜Ｂ３からコマ３全体が黒に近い色に透視される関係となるように画面要素Ａ単位で色分けしたコマ３を描けば（図１１参照）、マスキングカバー２０が所定方向に移動させられることにより、コマ３全体の輪郭が明瞭に表示される時期を得ることができる。
【００２６】
図９〜図１１を画面３０の枠基準で合成すると、図１（ａ）に示す静止画１０を得ることができる。前記の合成において、各コマ１〜３が、前記所定方向に画面要素Ａ１〜Ａ３を代わるごとに次順番の色成分であって、しかも同画面要素Ａ１，Ａ２，Ａ３内に存在する自己以外のコマ部分とも異なる前記色成分で描くことになる。
【００２７】
具体的には、コマ１が、画面要素Ａ１に存在する部分を色成分Ｙ３、画面要素Ａ２に存在する部分を色成分Ｃ１、画面要素Ａ３に存在する部分を色成分Ｍ２という色分けで描かれている。コマ２が、画面要素Ａ１に存在する部分を色成分Ｍ２、画面要素Ａ２に存在する部分を色成分Ｙ３、画面要素Ａ３に存在する部分を色成分Ｃ１という色分けで描かれている。コマ３が、画面要素Ａ１に存在する部分を色成分Ｃ１、画面要素Ａ２に存在する部分を色成分Ｍ２、画面要素Ａ３に存在する部分を色成分Ｙ３という色分けで描かれている。画面要素Ａ１〜３において、コマ１〜３の全てが重なる部分は、色成分Ｃ１〜色成分Ｙ３の乗算によってＫ（ブラック）に近い色となり、コマ１〜３の中で２コマが重なる部分は、それら２コマの色の乗算によって中間色となる。
【００２８】
静止画１０にマスキングカバー２０を重ねたときの表示を図１２に示す。図１２は、画面３０を図中上下方向に並べ、マスキングカバー２０をコマ１表示用の所定方向位置（すなわち、画面要素Ａ１にフィルタ要素Ｂ３，画面要素Ａ２にフィルタ要素Ｂ１，画面要素Ａ３にフィルタ要素Ｂ２が重なる位置）に固定し、この位置でマスキングカバー２０が上から下へ移動させられた場合の表示変化を表している。図示から分かるように、コマ１は、フィルタ要素Ｂ１〜Ｂ３からＫ（ブラック）に近い色として透視されるので、明瞭に表示される。一方、他のコマ２，３は、フィルタ要素Ｂ１〜Ｂ３に殆ど輪郭を判別できない程度まで隠されるので、実質的に表示されない。
【００２９】
図１３は、画面３０を図中上下方向に並べ、マスキングカバー２０をコマ２表示用の所定方向位置（すなわち、画面要素Ａ１にフィルタ要素Ｂ２，画面要素Ａ２にフィルタ要素Ｂ３，画面要素Ａ３にフィルタ要素Ｂ１が重なる位置）に固定し、この位置でマスキングカバー２０が上から下へ移動させられた場合の表示変化を表している。図示から分かるように、コマ２は、フィルタ要素Ｂ１〜Ｂ３からＫ（ブラック）に近い色として透視されるので、明瞭に表示される。一方、他のコマ１，３は、フィルタ要素Ｂ１〜Ｂ３に殆ど輪郭を判別できない程度まで隠されるので、実質的に表示されない。
【００３０】
図１４は、画面３０を図中上下方向に並べ、マスキングカバー２０をコマ３表示用の所定方向位置（すなわち、画面要素Ａ１にフィルタ要素Ｂ１，画面要素Ａ２にフィルタ要素Ｂ２，画面要素Ａ３にフィルタ要素Ｂ３が重なる位置）に固定し、この位置でマスキングカバー２０が上から下へ移動させられた場合の表示変化を表している。図示から分かるように、コマ３は、フィルタ要素Ｂ１〜Ｂ３からＫ（ブラック）に近い色として透視されるので、明瞭に表示される。一方、他のコマ１，２は、フィルタ要素Ｂ１〜Ｂ３に殆ど輪郭を判別できない程度まで隠されるので、実質的に表示されない。
【００３１】
図１２〜図１４の表示態様を総合すれば、静止画１０に重なる状態で所定方向に移動させられるマスキングカバー２０で隠すコマ２，３又はコマ３，１又はコマ１，２と、表示するコマ１又はコマ２又はコマ３とを、前記移動によって順々に切替え可能でありながら、隠すコマ２，３又はコマ３，１又はコマ１，２が描かれた画面要素Ａ１〜Ａ３と重なる、どのフィルタ要素Ｂ１〜Ｂ３上でも、表示するコマ１又はコマ２又はコマ３の部分を透視することができる、といえる。したがって、従来、コマをフィルタ要素Ｂ１〜Ｂ３のどれか１箇所からしか透視できなかったことに比べ、この実施形態は、表示するコマ１又はコマ２又はコマ３の解像度を３倍に向上させることができる。
【００３２】
この実施形態では、コマ数Ｎが３なので、各コマ１〜３の色分解や、フィルタ要素を着色する色の選択は、ｓＲＧＢ規格、ＸＹＺ表色系等の一般的な規格に準拠したものを適宜に採用することができ、静止画１０，マスキングカバー２０を印刷や画面出力による作成するのに好適である。
【００３３】
なお、この発明は、３コマのものに限定されず、例えば、コマ数Ｎ＝２とする場合、２色に色分解すればよい。また、各コマ１〜３の色分解や、フィルタ要素を着色する色の選択は、ＣＭＹ，ＲＧＢのように別々の色空間から実施してもよいし、同じ色空間から実施してもよい。また、色分解や着色の色の選択は、色の三原色、光の三原色に限定されず、コマ数に応じた色成分を得て隠すコマ、表示するコマの切替えが判別可能なレベルで表示できる限り、適宜の色成分に色分解すればよい。画面要素Ａ，フィルタ要素Ｂに対する描画や着色は、例えば、紙面、フィルムシート等に対する印刷、塗装、重ね貼り等、適宜の手段で実施すればよい。
【００３４】
この実施形態のように、各コマ１〜３を、所定方向に隙間なく並ぶ各画面要素Ａ１〜Ａ３の所定方向幅一杯に描き、フィルタ要素Ｂ１〜Ｂ３も所定方向に隙間なく並べると、表示するコマ１又はコマ２又はコマ３の全体的な輪郭を途切れなく表示することができる。
【００３５】
以下、第二実施形態を説明する。ここでは、第一実施形態との相違点を述べるに留める。図１５（ａ）にマスキングカバー２０を示し、図１５（ｂ）に静止画１０を示す。図１６〜図１８に、静止画１０を構成するコマ１〜３を示す。各コマ１〜３は、Ｋに近い単色ではなく、３色以上を使い分けて描かれている。コマ１〜３は、表示装置で表示する動画を構成する画像となっている。図１９に画面３０を画面要素Ａに分けたパターンを示す。図中の文字ａを記載した画面要素は、画面要素Ａ１に、同文字ｂを記載した画面要素は画面要素Ａ２に、同文字ｃを記載した画面要素は画面要素Ａ３に対応している。図１６〜図１８のコマ１〜３を色分解し、所定に色分けして描いたコマ１〜３を図２０〜図２２に示す。図２０〜図２２を合成して図１５（ｂ）の静止画１０が作られている。図２３に、マスキングカバー２０をコマ１の表示位置で静止画１０に重ねたときの表示を示す。図２４に、マスキングカバー２０をコマ２の表示位置で静止画１０に重ねたときの表示を示す。図２５に、マスキングカバー２０をコマ３の表示位置で静止画１０に重ねたときの表示を示す。図２３〜図２５において、各コマ１〜３中の輪郭がフィルタ要素Ｂ１〜Ｂ３のところで透視できることから分かるように、この発明に係る表示装置は、多数の色使いのコマ１〜３を合成する静止画１０の場合でも、表示するコマ１，２，３の輪郭を判別し易くする目的で分解能を向上させることに効果的である。
【００３６】
以下、第三実施形態を説明する。第三実施形態は第二実施形態を元にしたものなので、ここでは、第一実施形態，第二実施形態に対する相違点を述べるに留める。図２６に、画面３０を画面要素Ａに分けたパターンを示す。図中文字ａを記載した画面要素は、画面要素Ａ１に、同文字ｂを記載した画面要素は、画面要素Ａ２に、同文字ｃを記載した画面要素は、画面要素Ａ３に対応している。図２７に、マスキングカバー２０を示す。図２６、図２７に示すように、画面３０，マスキングカバー２０は、それぞれ画面要素（ａ〜ｃ），フィルタ要素Ｂ１〜Ｂ３の中心を通る３方向の直線方向に並ぶように分けられている。画面要素（ａ〜ｃ），フィルタ要素Ｂ１〜Ｂ３の面形状が正六角形状なので、前記３方向の直線方向は、中心回りに１２０°間隔となる。図１６〜図１８のコマ１〜３を色分解し、所定に色分けして描いたコマ１〜３を図２８〜図３０に示す。図２８〜図３０を画面３０上で合成した静止画１０を図３１に示す。図３２に、マスキングカバー２０をコマ１の表示位置で静止画１０に重ねたときの表示を示す。図３３に、マスキングカバー２０をコマ２の表示位置で静止画１０に重ねたときの表示を示す。図３４に、マスキングカバー２０をコマ３の表示位置で静止画１０に重ねたときの表示を示す。図３２〜図３４を総合すれば分かるように、マスキングカバー２０が、図中左から右へ直進する第一の所定方向へ移動させられることにより、コマ１〜３が、順序通りに表示される。また、マスキングカバー２０が、図中左右方向に対して１２０°の傾きをもって図中右下から左上へ直進する第二の所定方向へ移動させられる場合でも、コマ１〜３が、順序通りに表示される。また、マスキングカバー２０が、図中左右方向に対して１２０°の傾きをもって図中右上から左下へ直進する第三の所定方向へ移動させられる場合でも、コマ１〜３が、順序通りに表示される。このように、第三実施形態は、動画を表示できるマスキングカバー２０の所定方向を３方向に定めることができる。
【００３７】
なお、画面要素，フィルタ要素を、頂点数が４以上の偶数とした正多角形状とする限り、各コマ１〜３を順序通りに表示できるどの所定方向（平行な辺に直交する直線方向）でも画面要素を隙間なく並べられるので、どの所定方向でも、表示するコマ１又はコマ２又はコマ３の全体的な輪郭を途切れなく表示することができる。
【００３８】
この発明に係るマスキングカバーは、フィルタ要素のみを静止画に重ねるものに限定されない。その一例として、第三実施形態に係るマスキングカバー２０の変更例を図３５に示す。図示のマスキングカバー２０は、所定方向に隣り合うフィルタ要素Ｂ１，Ｂ２間に介在し、かつこれら両フィルタ要素Ｂ１，Ｂ２の色を合成した中間色の中間要素Ｃ１と、所定方向に隣り合うフィルタ要素Ｂ２，Ｂ３間に介在し、かつこれら両フィルタ要素Ｂ２，Ｂ３の色を合成した中間色の中間要素Ｃ２と、所定方向に隣り合うフィルタ要素Ｂ３，Ｂ１間に介在し、かつこれら両フィルタ要素Ｂ３，Ｂ１の色を合成した中間色の中間要素Ｃ３とを有する。したがって、中間要素Ｃ１は、フィルタ要素Ｂ１のＲ（レッド）とフィルタ要素Ｂ２のＧ（グリーン）とを合成した色：Ｙ（イエロー）に着色された半透明部になっている。中間要素Ｃ２は、フィルタ要素Ｂ２のＧ（グリーン）とフィルタ要素Ｂ３のＢ（ブルー）とを合成した色Ｃ（シアン）に着色された半透明部になっている。中間要素Ｃ３は、フィルタ要素Ｂ３のＧ（ブルー）とフィルタ要素Ｂ１のＲ（レッド）とを合成した色Ｍ（マゼンタ）に着色された半透明部になっている。各中間要素Ｃ１〜Ｃ３は、フィルタ要素Ｂ１〜Ｂ３の中心（前記第二実施形態における正六角形状の中心に相当）と同心の円形状で区画された面形状になっている。このマスキングカバー２０を図３１の静止画１０に重ねてどの所定方向に移動させても、この間、中間要素Ｃ１〜Ｃ３のところでは、次に隠すコマ部分と、次に表示するコマ部分の両方を透視できるので、滑らかな動画を得ることができる。
【００３９】
この発明の技術的範囲は、上述の各実施形態に限定されず、特許請求の範囲の記載に基く技術的思想の範囲内での全ての変更を含むものである。
【符号の説明】
【００４０】
１〜３  コマ
１０  静止画
２０  マスキングカバー
３０  画面
Ａ，Ａ１〜Ａ３  画面要素
Ｂ，Ｂ１〜Ｂ３  フィルタ要素
Ｃ１〜Ｃ３  中間要素
【図２】
0005593506.tif 000002
【図１】
0005593506.tif 000003
【図３】
0005593506.tif 000004
【図４】
0005593506.tif 000005
【図５】
0005593506.tif 000006
【図６】
0005593506.tif 000007
【図７】
0005593506.tif 000008
【図８】
0005593506.tif 000009
【図９】
0005593506.tif 000010
【図１０】
0005593506.tif 000011
【図１１】
0005593506.tif 000012
【図１２】
0005593506.tif 000013
【図１３】
0005593506.tif 000014
【図１４】
0005593506.tif 000015
【図１５】
0005593506.tif 000016
【図１６】
0005593506.tif 000017
【図１７】
0005593506.tif 000018
【図１８】
0005593506.tif 000019
【図１９】
0005593506.tif 000020
【図２０】
0005593506.tif 000021
【図２１】
0005593506.tif 000022
【図２２】
0005593506.tif 000023
【図２３】
0005593506.tif 000024
【図２４】
0005593506.tif 000025
【図２５】
0005593506.tif 000026
【図２６】
0005593506.tif 000027
【図２７】
0005593506.tif 000028
【図２８】
0005593506.tif 000029
【図２９】
0005593506.tif 000030
【図３０】
0005593506.tif 000031
【図３１】
0005593506.tif 000032
【図３２】
0005593506.tif 000033
【図３３】
0005593506.tif 000034
【図３４】
0005593506.tif 000035
【図３５】
0005593506.tif 000036